(57)【要約】【課題】強固に固定することができ、さらに使い勝手の良い露出コンセントを提供する。【解決手段】この露出コンセントＡは、展示会や工事現場などで仮設用として使用される抜け止めダブルコンセントで、ボディ１とカバー２とを有し、両者を組立ねじ３により連結固定して器体本体が形成されている。カバー２には、器具取付孔２０が前面の中央および四隅に設けられ、その前面の中央に位置する器具取付孔２０の長手方向の両側に、２個１組の栓刃挿入孔２１ａ，２１ｂからなるプラグ差し込み部が２組設けられている。さらに、器具取付孔２０の内周面には、ねじ山と係合してねじを仮保持する薄肉片２０ｂが３方向から突設されている。【選択図】        図１
2004259567.tif 000002
【特許請求の範囲】
【請求項１】
器具本体を前面から後面に貫く器具取付孔を器具本体の前面の中央および四隅に設け、器具本体の前面の中央に設けられた前記器具取付孔の両側に栓刃挿入孔からなるプラグ差し込み部を設けたことを特徴とする露出コンセント。
【請求項２】
前記器具取付孔の内周面に、ねじ山と係合してねじを仮保持する薄肉片を突設したことを特徴とする請求項１記載の露出コンセント。
【請求項３】
前記器具本体の側壁に外部の電線を挿入する電線挿入孔を備え、前記器具本体の内部に、前記電線挿入孔から挿入された電線が接続される端子部と、前記栓刃挿入孔から挿入された栓刃を狭持する刃受けばねと、前記端子部と前記刃受けばねとを接続する細長の金属板からなる連結板とを備え、前記端子部を前記連結板の長手方向に沿った一方の側から延設した延設片を折曲して形成すると共に、前記刃受けばねを他方の側から延設した延設片を折曲して形成することを特徴とする請求項１又は２記載の露出コンセント。
【発明の詳細な説明】
【０００１】
【発明の属する技術分野】
本発明は、露出コンセントに関するものである。
【０００２】
【従来の技術】
従来この種の露出コンセントとして、例えば図９（ａ）に示すものがある（例えば、特許文献１参照。）。このコンセント１００は、展示会や工事現場などで仮設用として使用されるもので、カバーとボディとからなる器具本体の前面中央に、略円筒状の器具取付孔１０１が１箇所設けられ、その長手方向の両側には２個１組の栓刃挿入孔１０２，１０２を有するプラグ差し込み部が２組設けられ、プラグが２個同時に接続できるようになっている。また、コンセント１００の長手方向の両側壁には、電線を挿入する電線挿入孔（図示せず）が設けられ、コンセント１００の前面の両端部には電線挿入孔に挿入され結線された電線を解除するための電線接続解除ボタン１０３，１０３が設けられている（電線挿入孔を備えたコンセントとしては、例えば特許文献２参照）。
【０００３】
また、接地極付きのプラグが２個同時に使用できる露出コンセント１００’としては、例えば図９（ｂ）に示すものがある。このコンセントは１００’は、電源用の栓刃挿入孔を長手方向と直交する方向に並べて配置することで、横口接地プラグを２個同時に使用できるようにしている。
【０００４】
また、栓刃挿入孔を円弧状に形成し、栓刃挿入孔に挿入したプラグを回転させることで、プラグの抜けを防止する抜け止めコンセントもある。
【０００５】
上記した露出コンセントでは、器具本体の内部に、前記電線挿入孔から挿入された電線が接続される端子部と、前記栓刃挿入孔から挿入された栓刃を狭持する刃受けばねと、前記端子部と前記刃受けばねとを接続する細長の金属板からなる連結板とを備え、それら端子部と刃受けばねと連結板とは、板状の金属板を打ち抜き、その後折曲加工して形成した刃受けばねブロックとして一体に形成されている。
【０００６】
従来の刃受けばねブロックの一例を図１０、図１１に示す。この刃受けばねブロック１０４は、抜け止めコンセントの内部に収納されるもので、長手方向の一端に電線が接続される端子部１０５が形成され、端子部１０５より中央寄りの位置に刃受けばね１０６が形成され、端子部１０５と刃受けばね１０６とが細長の連結板１０７にて接続されている。この刃受けばねブロック１０４は、板状の金属板を図１１の展開図のようにプレス装置で打ち抜き、その後折曲加工して形成される。
【０００７】
【特許文献１】
特開平９−１９０８４５号公報（第１図）
【特許文献２】
実開昭６３−９５１８２号公報（第１図）
【０００８】
【発明が解決しようとする課題】
ところで、従来の露出コンセントでは、器具取付孔１０２が前面中央に１箇所しか設けられていないため、露出コンセントを強固に固定することができないという問題があった。
【０００９】
また、器具取付孔１０１の内部１０１ａが図１２（ａ）〜（ｃ）に示すように略円筒状のため、露出コンセントを固定するための木ねじＳを器具取付孔１０１に仮保持することができず、壁面などに露出コンセントを取付ける際に、木ねじＳが器具取付孔１０１から脱落しやすいという問題もあった。
【００１０】
本発明は上記問題点に鑑みて為されたものであって、その目的とするところは、強固に固定することができ、さらに使い勝手の良い露出コンセントを提供することにある。さらに、請求項３記載の発明の目的とするところは、上記目的に加えて、上記目的を達成しても大型化せずコンパクトな露出コンセントを提供することにある。
【００１１】
【課題を解決するための手段】
上記目的を達成するために、請求項１記載の露出コンセントは、器具本体を前面から後面に貫く器具取付孔を器具本体の前面の中央および四隅に設け、器具本体の前面の中央に設けられた前記器具取付孔の両側に栓刃挿入孔からなるプラグ差し込み部を設けたものとした。
【００１２】
請求項２記載の露出コンセントは、請求項１記載の発明において、前記器具取付孔の内周面に、ねじ山と係合してねじを仮保持する薄肉片を突設したものとした。
【００１３】
請求項３記載の露出コンセントは、請求項１又は２記載の発明において、前記器具本体の側壁に外部の電線を挿入する電線挿入孔を備え、前記器具本体の内部に、前記電線挿入孔から挿入された電線が接続される端子部と、前記栓刃挿入孔から挿入された栓刃を狭持する刃受けばねと、前記端子部と前記刃受けばねとを接続する細長の金属板からなる連結板とを備え、前記端子部を前記連結板の長手方向に沿った一方の側から延設した延設片を折曲して形成すると共に、前記刃受けばねを他方の側から延設した延設片を折曲して形成するものとした。
【００１４】
【発明の実施の形態】
以下、本発明を実施形態１から実施形態２によって説明する。
【００１５】
（実施形態１）
本実施形態の露出コンセントＡを図１乃至図３に示す。この露出コンセントＡは、展示会や工事現場などで仮設用として使用される抜け止めダブルコンセントで、ボディ１とカバー２とを有し、両者を組立ねじ３により連結固定して器体本体が形成されている。
【００１６】
カバー２には、本露出コンセントＡをねじ固定するための器具取付孔２０が前面の中央および四隅に設けられ、その前面の中央に位置する器具取付孔２０の長手方向の両側には、２個１組の栓刃挿入孔２１ａ，２１ｂからなるプラグ差し込み部が２組設けられ、プラグ（図示せず）が２個同時に接続できるようになっている。栓刃挿入孔２１ａ，２１ｂはそれぞれ円弧状に形成され同心円上に配置されている。また、カバー２の前面の長手方向の両端部には、電線接続解除ボタン７，７が配置される解除ボタン用凹部２２，２２が形成されている。さらに、カバー２の長手方向の両側壁には、挿入された電線を後述する電源供給端子部４１および送り側端子部４２に誘導する電線挿入孔２３，２３の一部を形成する上側凹部２３ａ，２３ａが設けられている。
【００１７】
図３（ａ），（ｂ）に、器具取付孔２０の断面図を示す。器具取付孔２０は、後述するようにボディ１に設けられた器具取付孔１１と合わせて露出コンセントＡを前面から後面に貫く一つの貫通孔を構成するもので、器具取付孔２０のボス部２０ａの内周面には、器具取付孔２０を上から見たときに略三角形の開口を形成するように、薄肉片２０ｂが３方向から突設されている。薄肉片２０ｂを設けたことで、図３（ｃ）に示すように器具取付用の木ねじＳのねじ山を薄肉片２０ｂに係止させることができ、壁面などに露出コンセントＡを取付ける際に木ねじＳの脱落を防止できる。また、木ねじＳを露出コンセントＡに仮保持させた状態で出荷できるため、使用者は薄肉片２０ｂを突き破って木ねじＳを締め付けるだけでよく、簡単に取付けることができる。
【００１８】
ボディ１は、上部開口の略箱形で、中央部および四隅に器具取付孔１１およびそのボス部１１ａを備え、長手方向に沿った両側壁の内側には組立ねじ３の挿通孔１２およびそのボス部１２ａを２ヶ所ずつ備えている。また、長手方向に沿った隔壁１３により、後述する刃受けばねブロック４，４をそれぞれ収納する２つの収納部１４，１４が形成されている。また、長手方向の両側壁には、電線挿入孔２３，２３の一部を形成する下側凹部２３ｂ，２３ｂが設けられている。
【００１９】
刃受けばねブロック４は、板状の金属板をプレス加工および折曲加工してなり、長手方向の一端に電源供給端子部４１が形成され他端に送り側端子部４２が形成され、さらに電源供給端子部４１、送り側端子部４２より中央寄りの位置で前記栓刃挿入孔２１ａまたは栓刃挿入孔２１ｂに対応する位置に２組の刃受けばね４０，４０が形成され、それらが連結板４５にて接続されている。
【００２０】
電源供給端子部４１および送り側端子部４２は、連結板４５の両側に延設された延設片を上下に対向するように折曲して上側端子板４１ａ，４２ａおよび下側端子板４１ｂ，４２ｂが形成されており、上側端子板４１ａ，４２ａと下側端子板４１ｂ，４２ｂとの間に錠ばね９が鎖錠部９ａを上側に向けて配置されている。また、上側端子板４１ａ，４２ａには、切り欠き４１ｃ，４２ｃがそれぞれ設けられて、鎖錠部９ａの一部を上方から押動しうるようになっている。
【００２１】
刃受けばね４０は、栓刃挿入孔２１ａまたは栓刃挿入孔２１ｂより挿入されたプラグの栓刃を挟持できるように、金属板を長手方向と直交する方向にコ字形に折曲して、略円弧状のばね片４０ａとそれに対向するばね片４０ｂとが互いに向かい合うように形成されている。コ字形の中央片４４を形成する部位は、カバー２が装着されるとカバー２の内面により押圧されて刃受けばねブロック４を押圧固定する押圧部となる。また、一方のばね片４０ｂにおいて、他方のばね片４０ａを略円弧状に沿って時計方向に進んだ位置に対向する部位には、プラグの栓刃に形成された孔（図示せず）に係合して栓刃の抜けを防止するための係止凸部４０ｃが形成されている（図２参照）。
【００２２】
また、刃受けばねブロック４は、刃受けばね４０，４０の間に、切り欠き状の挟着部４３が形成されており、ボディ１の収納部１４，１４に収納されるとボディ１の内底面に形成されたリブ１０を前記挟着部４３，４３がボディ１の長手方向の両側から挟着して仮固定される。
【００２３】
電線接続解除ボタン７は、カバー２の前面側から順に、操作部７ａ、係止鍔部７ｂ、押動部７ｃが形成され、係止鍔部７ｂを、前記解除ボタン用凹部２２に形成された孔２２ａからカバー２の内部に挿入して孔２２ａの周縁に係止させ、操作部７ａを解除ボタン用凹部２２に収納して配置される。押動部７ｃは、電源供給端子部４１または送り側端子部４２に設けられた切り欠き４１ｃ，４２ｃを通って錠ばね９の鎖錠部９ａと当接し、常時前面外方に付勢され、解除ボタン用凹部２２の底面２２ｂと操作部７ａの下面との間に所定の間隔を有した姿勢を保持している。
【００２４】
以上のように構成された露出コンセントＡは、電線を電線挿入孔２３から挿入すると電線が錠ばね９の鎖錠部９ａを押して鎖錠部９ａと上側端子板４１ａ（または４２ａ）との間に嵌入係止状態となり、電線を引き抜こうとしても鎖錠部９ａが電線に食い込んで引き抜けない結線状態となる。なお、電線挿入時に、電線接続解除ボタン７の操作部７ａを押したまま電線を挿入すると、電線を所定の深さまで容易に挿入することができる。
【００２５】
電線の結線状態を解除するには、電線接続解除ボタン７の操作部７ａを内方に押圧する。すると、電線接続解除ボタン７の押動部７ｃが錠ばね９の鎖錠部９ａを押圧し、鎖錠部９ａが電線に食い込むことがなくなり、容易に電線を引き抜くことができる。
【００２６】
また、栓刃挿入孔２１ａ，２１ｂにプラグを挿入し、時計方向に回転させると、プラグの栓刃に形成された孔と刃受けばね４０に設けられた係止凸部４０ｃとが係合し、プラグの抜けを防止することができる。
【００２７】
かかる露出コンセントＡにおいては、器具取付孔２０が前面の中央および四隅に設けられているので、露出コンセントＡを強固に固定（螺着）することができる。また、簡単に取り付けるときは中央の１箇所のみで固定し、強固に取り付ける時は全ての器具取付孔２０で固定するというように、必要に応じて取付方法を選択することもでき、使い勝手が良い。
【００２８】
また、器具取付孔２０の内部に薄肉片２０ｂを設けたので、前述したように壁面などに露出コンセントＡを取付ける際に木ねじＳの脱落を防止でき、また、木ねじＳを露出コンセントＡに仮保持させた状態で出荷できるため、使用者は薄肉片２０ｂを突き破って木ねじＳを締め付けるだけで簡単に取付けることができ、さらに使い勝手が良い。
【００２９】
（実施形態２）
本実施形態における基本構成は実施形態１と共通するために共通する部分については同一の符号を付して説明を省略し、本実施形態の特徴となる部分についてのみ詳細に説明する。
【００３０】
本実施形態の露出コンセントＢは、接地極付のプラグ（図示せず）が２個同時に接続できる抜け止めダブルコンセントであり、実施形態１の露出コンセントＡと同様に、カバー２の前面の中央および四隅に、内部に薄肉片２０ｂが突設された器具取付孔２０が設けられている。このように器具取付孔２０を多数設けるためには、多数の前記器具取付孔２０用のスペースが必要となり、露出コンセントＢの大型化につながる恐れがあるが、本実施形態では、刃受けばねブロックをコンパクトに作製することで、露出コンセントＢの大型化を防いでいる点に特徴がある。
【００３１】
本実施形態の露出コンセントＢを図４乃至図８に示す。
【００３２】
カバー２には、前面中央に位置する器具取付孔２０の長手方向の両側に、３個１組の栓刃挿入孔５０ａ，５０ｂ，５０ｃからなるプラグ差し込み部が２組設けられている。ここで、栓刃挿入孔５０ａはプラグの接地極が挿入され、栓刃挿入孔５０ｂはプラグの接地側の栓刃が挿入され、栓刃挿入孔５０ｃはプラグの電圧側の栓刃が挿入されるもので、それぞれ円弧状に形成され同心円上に配置されている。
【００３３】
ボディ１の内部は、長手方向に沿った２列の隔壁１５ａ，１５ｂにより、後述する接地刃受けばねブロック６０，接地側刃受けばねブロック７０，電圧側刃受けばねブロック８０をそれぞれ収納する３つの収納部１６ａ，１６ｂ，１６ｃが形成されている。
【００３４】
接地刃受けばねブロック６０，接地側刃受けばねブロック７０，電圧側刃受けばねブロック８０は、それぞれ長手方向の一端に電源供給端子部６１，７１，８１が形成され他端に送り側端子部６２，７２，８２が形成され、さらに電源供給端子部６１，７１，８１、送り側端子部６２，７２，８２より中央寄りの位置で前記栓刃挿入孔５０ａ，５０ｂ，５０ｃにそれぞれ対応する位置には、２組ずつの接地刃受けばね６３Ａ，６３Ｂ、接地側刃受けばね７３Ａ，７３Ｂ、電圧側刃受けばね８３Ａ，８３Ｂが形成され、前記各端子部と前記各刃受けばねとが細長の金属板からなる連結板６５，７５，８５でそれぞれ接続されている。
【００３５】
これら、接地刃受けばねブロック６０，接地側刃受けばねブロック７０，電圧側刃受けばねブロック８０は、板状の金属板をプレス装置で打ち抜き、折曲加工して形成されている。
【００３６】
ここで、電圧側刃受けばねブロック８０の送り側端子部８２および電圧側刃受けばね８３Ｂについて図６乃至図８を用いて詳細に説明する。
【００３７】
この電圧側刃受けばねブロック８０は、連結板８５の長手方向に沿った一方の側から延設した延設片８２ａ〜８２ｅを長手方向と直交する方向から見て略コ字形になるように折曲することで送り側端子部８２を形成し、他方の側から延設した延設片８３ａ，８３ｂを互いに向かい合うように両側から折曲することで電圧側刃受けばね８３Ｂを形成している。
【００３８】
ここで、従来用いられていた図１０および図１１に示した刃受けばねブロック１０４と、本実施形態の電圧側刃受けばねブロック８０とを比較してみると、従来の刃受けばねブロック１０４は、端子部１０５を形成する上側端子板１０５ａおよび下側端子板１０５ｂが、連結板１０７の両側に延設された延設片を上下に対向するように折曲して形成されているため、露出コンセントの長手方向の長さを短くするために、刃受けばねブロック１０４の図１０，図１１の図示Ｘの長さをより短くしようとしても、図１１の図示Ｙに示すように下側端子板１０５ｂとなる延設片と刃受けばね１０６の一部となる部位１０６ａとが干渉してしまい、この干渉を回避するためには図１２の図示Ｚの長さを長くする必要があり、図示Ｚの長さを長くすると図１０の図示Ｗまたは図示Ｈの長さを長くすることとなり、結果としてコンセントの幅または高さが大きくなるため、図示Ｘの長さを短くすることができなかった。
【００３９】
一方、本実施形態の電圧側刃受けばねブロック８０は、図７に示すように連結板８５の一方の側に送り側端子部８２となる延設片を延設し、他方の側に電圧側刃受けばね８３Ｂとなる延設片を延設しているため、従来のように図示Ｘの長さを短くしても、送り側端子部８２の一部となる部位と電圧側刃受けばね８３Ｂの一部となる部位との干渉が起きず、図示Ｘの長さを短くすることができ、その結果コンパクトな刃受けばねブロックを形成することが可能となっている。
【００４０】
なお、連結板８５の先端に設けられた延設片８４は、送り側端子部８２の下方側端子板を形成する部位（８２ｅ）に重ねるように折曲することで、略コ字形に折曲した延設片８２ａ〜８２ｅの開きを防止するためのものである。
【００４１】
なお、ここでは電圧側刃受けばねブロック８０の送り側端子部８２および電圧側刃受けばね８３Ｂについて詳細に説明したが、接地側刃受けばねブロック７０の電源供給端子部７１および接地側刃受けばね７３Ａも、同様にして形成されている。
【００４２】
すなわち、本実施形態の露出コンセントＢでは、露出コンセントＢの長手方向の両側に一番近い刃受けばねである接地側刃受けばね７３Ａおよび電圧側刃受けばね８３Ｂと、それらに隣接する電源供給端子部７１および送り側端子部８２とに、図６乃至図８に示した構造を用いて、露出コンセントＢをコンパクトに作製している。
【００４３】
それ以外の電源供給端子部６１，８１および送り側端子部６２，７２は、従来（および実施形態１）と同様に、各連結板６５，７５，８５の両側に延設された延設片を上下に対向するように折曲して、上側端子板６１ａ，８１ａ，６２ａ，７２ａ、および下側端子板６１ｂ，８１ｂ，６２ｂ，７２ｂを形成している。
【００４４】
かかる露出コンセントＢにおいては、器具取付孔２０を前面中央および四隅に設けながらも、接地側刃受けばねブロック７０、電圧側刃受けばねブロック８０をコンパクトに作製することで、露出コンセントＢの大型化を防いでいる。
【００４５】
【発明の効果】
請求項１記載の露出コンセントは、器具本体を前面から後面に貫く器具取付孔を器具本体の前面の中央および四隅に設け、器具本体の前面の中央に設けられた前記器具取付孔の両側に栓刃挿入孔からなるプラグ差し込み部を設けたので、器具本体を強固に固定することができるという効果がある。さらに簡単に取り付けるときには中央の器具取付孔１箇所で固定し、強固に取り付ける時には全ての器具取付孔で固定するというように、必要に応じて取付方法を選択することもでき使い勝手が良いという効果がある。
【００４６】
請求項２記載の露出コンセントは、請求項１記載の発明において、前記器具取付孔の内周面に、ねじ山と係合してねじを仮保持する薄肉片を突設したので、前記器具取付孔からねじが脱落することが防止でき、さらに使い勝手が良くなるという効果がある。また、ねじを前記器具取付孔に仮保持させた状態で出荷できるため、使用者は前記薄肉片を突き破ってねじを締め付けるだけで簡単に取付けることができ、さらに使い勝手が良くなるという効果もある。
【００４７】
請求項３記載の露出コンセントは、請求項１又は２記載の発明において、前記器具本体の側壁に外部の電線を挿入する電線挿入孔を備え、前記器具本体の内部に、前記電線挿入孔から挿入された電線が接続される端子部と、前記栓刃挿入孔から挿入された栓刃を狭持する刃受けばねと、前記端子部と前記刃受けばねとを接続する細長の金属板からなる連結板とを備え、前記端子部を前記連結板の長手方向に沿った一方の側から延設した延設片を折曲して形成すると共に、前記刃受けばねを他方の側から延設した延設片を折曲して形成するので、前記端子部となる延設片と前記刃受けばねとなる延設片とが干渉することがないので、前記端子部と前記刃受けばねとの間隔を短くすることができ、その結果、請求項１記載の発明のように前記器具取付孔を器具本体の前面の中央および四隅に設けても大型化せずコンパクトな露出コンセントを実現できるという効果がある。
【図面の簡単な説明】
【図１】実施形態１の露出コンセントの分解斜視図である。
【図２】（ａ）同上の一部を破断した前面図である。
（ｂ）同上の一部を破断した一側面図である。
（ｃ）同上の後面図である。
（ｄ）同上の一部を破断した一側面図である。
【図３】（ａ）同上の器具取付孔を拡大した断面図である。
（ｂ）同上の器具取付孔の内部を上から見た図である。
（ｃ）同上の器具取付孔に木ねじを係止した状態を示す断面図である。
【図４】実施形態２の露出コンセントの分解斜視図である。
【図５】（ａ）同上の一部を破断した前面図である。
（ｂ）同上の一部を破断した一側面図である。
（ｃ）同上の後面図である。
（ｄ）同上の一部を破断した一側面図である。
【図６】同上の電圧側刃受けばねブロックの一部を拡大した斜視図である。
【図７】同上の電圧側刃受けばねブロックの一部の展開図である。
【図８】（ａ）同上の電圧側刃受けばねブロックの一部を拡大した側面図である。
（ｂ）同上の前面図である。
（ｃ）同上の別の角度の側面図である。
【図９】（ａ）従来の露出コンセントの前面図である。
（ｂ）従来の別の形状の露出コンセントの前面図である。
【図１０】（ａ）従来の電圧側刃受けばねブロックの一部を拡大した側面図である。
（ｂ）同上の前面図である。
（ｃ）同上の別の角度の側面図である。
【図１１】従来の電圧側刃受けばねブロックの一部の展開図である。
【図１２】（ａ）従来の器具取付孔を拡大した断面図である。
（ｂ）同上の器具取付孔の内部を上から見た図である。
（ｃ）同上の器具取付孔に木ねじを挿入した状態を示す断面図である。
【符号の説明】
１  ボディ
２  カバー
３  組立ねじ
４  刃受けばねブロック
７  電線接続解除ボタン
９  錠ばね
９ａ  鎖錠部
１０  リブ
１１  器具取付孔
１１ａ  ボス部
１２  ボス部
１３  隔壁
１４  収納部
１５ａ、１５ｂ  隔壁
１６ａ〜１６ｃ  収納部
２０  器具取付孔
２０ａ  ボス部
２０ｂ  薄肉片
２１ａ、２１ｂ  栓刃挿入孔
２２  解除ボタン用凹部
２３  電線挿入孔
４０  接地刃受けばね
４０ａ、４０ｂ  ばね片
４１  電源供給端子部
４１ａ  上側端子板
４１ｂ  下側端子板
４１ｃ  切り欠き
４２  送り側端子部
４２ａ  上側端子板
４２ｂ  上側端子板
４２ｃ  切り欠き
４３  挟着部
４４  中央片
４５  連結板
５０ａ〜５０ｃ  栓刃挿入孔
６０  接地刃受けばねブロック
６１  電源供給端子部
６２  送り側端子部
６３Ａ、６３Ｂ  接地刃受けばね
６５  連結板
７０  接地側刃受けばねブロック
７１  電源供給端子部
７２  送り側端子部
７３Ａ、７３Ｂ  接地側刃受けばね
７５  連結板
８０  電圧側刃受けばねブロック
８１  電源供給端子部
８２  送り側端子部
８２ａ〜８２ｅ  延設片
８３Ａ、８３Ｂ  電圧側刃受けばね
８３ａ，８３ｂ  延設片
８４  延設片
８５  連結板
【図１】
2004259567.tif 000003
【図２】
2004259567.tif 000004
【図３】
2004259567.tif 000005
【図４】
2004259567.tif 000006
【図５】
2004259567.tif 000007
【図６】
2004259567.tif 000008
【図７】
2004259567.tif 000009
【図８】
2004259567.tif 000010
【図９】
2004259567.tif 000011
【図１０】
2004259567.tif 000012
【図１１】
2004259567.tif 000013
【図１２】
2004259567.tif 000014